(57)【要約】【課題】  左右のいずれの手であっても、掌側若しくは手の甲側の手首に副木を対応させることができ、衝撃等の負担を軽減することができる手首用サポーターを提供する。【解決手段】  帯状体に親指挿通孔を有し、固着手段を面ファスナーとして手首に装着される手首用サポーターにおいて、手の甲又は掌を覆う覆設部と、手首を略１周捲回する捲回部とからなる帯状体の表面には面ファスナーが設けられ、覆設部側の一端部に親指挿通孔を有し、捲回部側の他端部には面ファスナーが帯状体の裏面に面するよう固着され、捲回部における裏面には副木が固着されたことを特徴とする手首用サポーター。【選択図】  図１
2010265556.tif 000002
【特許請求の範囲】
【請求項１】
帯状体に親指挿通孔を有し、固着手段を面ファスナーとして手首に装着される手首用サポーターにおいて、
手の甲又は掌を覆う覆設部と、手首を略１周捲回する捲回部とからなる帯状体の表面には面ファスナーが設けられ、
覆設部側の一端部に親指挿通孔を有し、捲回部側の他端部には面ファスナーが帯状体の裏面に面するよう固着され、
捲回部における裏面には副木が固着されたことを特徴とする手首用サポーター。
【請求項２】
帯状体を構成する覆設部及び捲回部が同軸上に形成される請求項１に記載の手首用サポーター。
【請求項３】
副木を軟質ウレタンフォームとした請求項１又は請求項２に記載の手首用サポーター。
【発明の詳細な説明】
【技術分野】
【０００１】
本発明は、副木により手首を固定し、衝撃等の負担を軽減する手首用サポーターに関するものである。
【背景技術】
【０００２】
従来より、簡単且つ容易に着脱可能であって手首等を保護する、いわゆるサポーターが公知である。例えば、手の周囲を略１周半程度廻る長さで手の甲および掌を覆う幅を有する帯状体と、該帯状体の一方の端部に形成され、装着する側の手の親指を引っ掛けるための親指引っ掛け部と、帯状体の他方の端部に形成され、装着する側の手と反対側の手の指を引っ掛けるための指引っ掛け部と、帯状体の表面側に前記親指引っ掛け部に近接して固着された第１の面ファスナーと、帯状体の裏面側に前記指引っ掛け部の周囲に設けられた第２の面ファスナーと、帯状体の表面側に前記第２の面ファスナーに隣接して設けられた親指差し込み部とを備えたものがある（例えば、特許文献１参照）。
【０００３】
更に、人体の関節部位に装着される捲回用シートからなる手首及び親指固定用の捲回固定帯捲回固定帯において、表面側のシート状起毛部材に、裏面側部材としてゴムシート材を張合し、接着剤により貼着した当該捲回用シートからなる手首及び親指固定用の捲回固定帯捲回固定帯において、上方部を親指捲回用、下方部を手首捲回用として概略クランク状の平面形に裁断してなり、上方部の長さＬ１０は下方部の長さＬ２０より小とし、手首及び親指固定用の捲回固定帯捲回固定帯の下方部と連結部が交わる角度θの数値範囲が、７０°〜１１０°とするものもある（例えば、特許文献２参照）。
【先行技術文献】
【特許文献】
【０００４】
【特許文献１】特開２００５−２２０５０７号
【特許文献２】特開２００７−１４７４７号
【０００５】
当該特許文献１及び特許文献２に係る発明においては、左右の両手に取り付ける為には、当該構造上、左右対称のサポーターが２つ必要であり、１つのサポーターを用いて両手に取り付けることができないものである。また、従来からのいわゆる副木を備えたものではない。
【０００６】
仮に、引用文献１及び引用文献２に係る発明の右手用サポーターにおける手の甲側に副木を採用した場合には、右手の手の甲側に副木を対応させることができるものであるが、左手用には別途左右対称のサポーターが必要である。また、当該構造上、掌側に副木を対応させることができないものであり、１つのサポーターで左右のいずれの手であっても、掌側若しくは手の甲側の手首に副木を対応させることができるサポーターではなかった。
【発明の概要】
【発明が解決しようとする課題】
【０００７】
そこで、本発明はこのような問題点を解決するものであって、左右のいずれの手であっても、掌側若しくは手の甲側の手首に副木を対応させることができ、衝撃等の負担を軽減することができる手首用サポーターを提供することを課題とする。
【課題を解決するための手段】
【０００８】
前記問題点を解決するために、本発明の請求項１に記載の発明の手首用サポーターは、帯状体に親指挿通孔を有し、固着手段を面ファスナーとして手首に装着される手首用サポーターにおいて、手の甲又は掌を覆う覆設部と、手首を略１周捲回する捲回部とからなる帯状体の表面には面ファスナーが設けられ、覆設部側の一端部に親指挿通孔を有し、捲回部側の他端部には面ファスナーが帯状体の裏面に面するよう固着され、捲回部における裏面には副木が固着されたことを特徴とするものである。
【０００９】
また、本発明の請求項２に記載の発明の手首用サポーターは、請求項１に記載の手首用サポーターにおいて、帯状体を構成する覆設部及び捲回部が同軸上に形成されるものである。
【００１０】
また、本発明の請求項３に記載の発明の手首用サポーターは、請求項１又は請求項２に記載の手首用サポーターにおいて、副木を軟質ウレタンフォームとしたものである。
【発明の効果】
【００１１】
本発明の請求項１乃至請求項３に記載の手首用サポーターでは、帯状体における覆設部と捲回部とを同軸上に形成したことから、右手の親指を手首用サポーターに挿通させた状態にて、掌側から捲回させれば捲回部における軟質ウレタンフォームからなる副木を右手の手首内側へ、手の甲側から捲回させれば副木を右手の手首外側へ当接させて装着することができる。
また、同様にして、左手の親指を手首用サポーターに挿通させた状態にて、掌側から捲回させれば捲回部における副木を左手の手首内側へ、手の甲側から捲回させれば副木を左手の手首外側へ当接させて装着することができる。
よって、左右のいずれの手であっても、当該捲回方向を変えることによって、掌側若しくは手の甲側の手首に副木を対応させることができ、衝撃等の負担を軽減することができる。
【図面の簡単な説明】
【００１２】
【図１】本発明の実施例における手首用サポーターの（ａ）正面図、（ｂ）背面図である。
【図２】本発明の実施例における手首用サポーターの（ａ）右側面図、（ｂ）左側面図である。
【図３】本発明の実施例における手首用サポーターの（ａ）平面図、（ｂ）底面図である。
【図４】本発明の実施例における手首用サポーターを右手に装着する際の（ａ）親指に挿通し、副木を右手内側に配置させた状態説明図、（ｂ）後に捲回させ副木を右手外側に配置させた状態説明図である。
【図５】図４における手首用サポーターの（ｃ）副木を右手内側に当接させた状態説明図、（ｄ）装着完了後の状態説明図である。
【図６】本発明の実施例における手首用サポーターを右手に装着する際の（ａ）親指に挿通させた状態説明図、（ｂ）後に副木を右手外側に配置させた状態説明図である。
【図７】図６における手首用サポーターの（ｃ）副木を右手外側に配置するよう捲回させる状態説明図、（ｂ）装着完了後の状態説明図である。
【発明を実施するための形態】
【００１３】
以下、本発明の実施の形態における手首用サポーターを図面に基づいて説明する。
【実施例】
【００１４】
本発明に係る手首用サポーター１は、図１乃至図３に示すように、覆設部２ａ及び捲回部２ｂから形成される帯状体２、副木３、面ファスナー４及び締め付け部５とから構成されている。
【００１５】
帯状体２は、手の甲又は掌を覆う覆設部２ａと、手首を略１周捲回する捲回部２ｂが同軸上に形成してなる。覆設部２ａと捲回部２ｂの境界は幅を細くして形成される。図６（ａ）に示すように、当該境界部は手首に捲回させる際に、掌と手首の境界であって小指側の湾曲部６ｂに沿って当接するので、手首用サポーター１を手首に捲回させ易くすることができる。また、覆設部２ａ側であって、帯状体２の一端部には略楕円形状の親指挿通孔２ｃが形成されており、捲回部２ｂ側であって、帯状体２の他端部には面ファスナー４（例えば、フック状に起毛された雄面ファスナー）が固着されている。当該面ファスナー４は帯状体２の長手方向に突出し、且つフック状に起毛された側を帯状体２の裏面に面するようにして固着される。
【００１６】
帯状体２の表面生地はナイロン、ポリウレタン等の合成繊維から形成されており、全面が面ファスナー（例えば、ループ状に密集して起毛された雌面ファスナー）となるよう加工されている。また、帯状体２における裏面の捲回部２ｂの略中央部には、絹、綿等で形成された吸湿性、抗菌防臭作用を有する生地にて副木３が固着されている。更に、副木３を固着する生地以外の肌と接触する箇所は締め付け部５とされ、装着性が向上する圧縮ウレタン等で形成される。また、帯状体２及び親指挿通孔２ｃの周囲には縁取り材２ｄが縫製されている。
【００１７】
副木３は、厚み５ｍｍ程度の略長方形状からなり、衝撃吸収性の優れた軟質ウレタンフォーム、例えばメカニカルフロスウレタンフォーム(株式会社ブリヂストン社製「ＺＵＬＥＮ  ＤＢタイプ」)を採用する。一般物性は、密度（ｇ／ｃｍ3）０．２５、アスカＣ硬度２０、引張強度（ｋｇ／ｃｍ2）４．２、引裂強度（ｋｇ／ｃｍ）１．８、反撥弾性（％）４、圧縮残留歪み（％）０．７である。当該副木３の幅寸法は任意であるが、長さ寸法は着用者における手首の略半周捲回する寸法であることが望ましい。
【００１８】
このようにして構成される手首用サポーター１は、図４乃至図７のようにして右手６に装着される。左手に装着する際には、以下の説明における右手を左手に置き換えればよいものである。
【００１９】
図４及び図５に示すようにして、副木３を右手６の内側に配置させて手首用サポーター１を装着する。詳細には、図４（ａ）に示すように、親指挿通孔２ｃに親指６ａを挿通させて、手首用サポーター１を右手６の内側に配置させる。後に同図（ｂ）に示すように、帯状体２の覆設部２ａにて右手６の掌を覆設し、捲回部２ｂを右手６の外側に配置させる。次に、図５（ｃ）に示すように、副木３を右手６の内側に当接させながら、捲回部２ｂを手首に捲回させる。最後に、同図（ｄ）に示すようにして、面ファスナー４にて右手６の手首外側で固着させる。このようにして装着することで、副木３は右手６の手首内側に当接した状態で装着される。
【００２０】
図６及び図７に示すようにして、副木３を右手６の外側に配置させて手首用サポーター１を装着する。詳細には、図６（ａ）及び（ｂ）に示すように、親指挿通孔２ｃに親指６ａを挿通させて、手首用サポーター１を右手６の外側に配置させる。後に図７（ｃ）に示すように、帯状体２の覆設部２ａにて右手６の手の甲を覆設し、捲回部２ｂを右手６の内側に配置させる。最後に、図７（ｄ）に示すように、副木３を右手６の外側に当接させながら、捲回部２ｂを手首に捲回させ、面ファスナー４にて右手６の手首内側で固着させる。このようにして装着することで、副木３は右手６の手首外側に当接した状態で装着される。
【００２１】
帯状体２の表面生地は、全面が面ファスナーであることから、着用者の手首のサイズの合わせて任意の箇所にて面ファスナー４を固着することができる。また、当該面ファスナー４を雌面ファスナーとし、帯状体２の表面生地を雄面ファスナーとすることもできる。
【００２２】
以上、説明した本発明に係る手首用サポーター１によれば、帯状体２における覆設部２ａと捲回部２ｂとを同軸上に形成したことから、右手６の親指６ａを手首用サポーター１に挿通させた状態にて、掌側から捲回させれば捲回部２ｂにおける副木３を右手６の手首内側へ、手の甲側から捲回させれば副木３を右手６の手首外側へ当接させて装着することができる。
また、同様にして、左手の親指を手首用サポーター１に挿通させた状態にて、掌側から捲回させれば捲回部２ｂにおける副木３を左手の手首内側へ、手の甲側から捲回させれば副木３を左手６の手首外側へ当接させて装着することができる。
よって、左右のいずれの手であっても、当該捲回方向を変えることによって、掌側若しくは手の甲側の手首に副木３を対応させることができ、衝撃等の負担を軽減することができる。
【符号の説明】
【００２３】
１      手首用サポーター
２      帯状体
２ａ    覆設部
２ｂ    捲回部
２ｃ    親指挿通孔
２ｄ    縁取り材
３      副木
４      面ファスナー
５      締め付け部
６      右手
６ａ    親指
【図１】
2010265556.tif 000003
【図２】
2010265556.tif 000004
【図３】
2010265556.tif 000005
【図４】
2010265556.tif 000006
【図５】
2010265556.tif 000007
【図６】
2010265556.tif 000008
【図７】
2010265556.tif 000009